(57)【要約】【課題】衝撃吸収力を高めつつも、ソーラーモジュールへの装着も容易としたソーラー発電器を提供する。【解決手段】ソーラーモジュール１０と、弾性部材で形成され、ソーラーモジュール１０の周囲と裏面を覆うと共に、該ソーラーモジュール１０の表面を表出させるパネルカバー２０とを備えるソーラー発電器であって、パネルカバー２０は、その裏面側に、ソーラーモジュール１０の出力端子を配置するための端子配置部２２を開口しており、ソーラー発電器はさらに、端子配置部２２を被覆する端子カバー３０を備えており、端子カバー３０の背面を、ソーラーモジュール１０に対して一定の傾斜角度に傾斜させる。これにより、端子カバーをソーラーモジュールの台座として機能させると共に、端子カバーでもってソーラーモジュールを傾斜させることができ、太陽光の受光に適した角度に調整できる。【選択図】図４
2013175688.tif 000002
【特許請求の範囲】
【請求項１】
ソーラーモジュール(10)と、
弾性部材で形成され、前記ソーラーモジュール(10)の周囲と裏面を覆うと共に、該ソーラーモジュール(10)の表面を表出させるパネルカバー(20)と、
を備えるソーラー発電器であって、
前記パネルカバー(20)は、その裏面側に、前記ソーラーモジュール(10)の出力端子を配置するための端子配置部(22)を開口しており、
前記ソーラー発電器はさらに、前記端子配置部(22)を被覆する端子カバー(30)を備えており、
前記端子カバー(30)の背面を、前記ソーラーモジュール(10)に対して一定の傾斜角度に傾斜させてなることを特徴とするソーラー発電器。
【請求項２】
請求項１に記載のソーラー発電器であって、
前記端子カバー(30)を、前記パネルカバー(20)に対して着脱式に固定すると共に、
前記端子カバー(30)を弾性部材で形成してなることを特徴とするソーラー発電器。
【請求項３】
請求項１又は２に記載のソーラー発電器であって、
前記パネルカバー(20)は、前記端子配置部(22)の周囲に、側壁(23)を突出させており、
前記端子カバー(30)を、前記側壁(23)に被せるようにして前記端子配置部(22)を閉塞してなることを特徴とするソーラー発電器。
【請求項４】
請求項３に記載のソーラー発電器であって、
前記パネルカバー(20)は、その裏面側であって、前記端子配置部(22)と対向する端縁に、脚部(26)を一体に設けてなることを特徴とするソーラー発電器。
【請求項５】
請求項４に記載のソーラー発電器であって、
前記パネルカバー(20)は、その裏面側に、スリット(28)を設けてなることを特徴とするソーラー発電器。
【請求項６】
請求項５に記載のソーラー発電器であって、
前記脚部(26)は、前記スリット(28)と平行に延長されてなることを特徴とするソーラー発電器。
【請求項７】
請求項５又は６に記載のソーラー発電器であって、
前記脚部(26)は、前記パネルカバー(20)の裏面側に複数設けられてなることを特徴とするソーラー発電器。
【請求項８】
請求項２から７のいずれか一に記載のソーラー発電器であって、
前記着脱式の端子カバー(30)を、その厚さが異なる複数の端子カバー(30)と交換可能とすると共に、
前記複数の端子カバー(30)は、前記ソーラー発電器が使用される地域における太陽光の受光角度に応じて、その高さを決定してなることを特徴とするソーラー発電器。
【請求項９】
請求項１から８のいずれか一に記載のソーラー発電器であって、
前記端子カバー(30)が、前記パネルカバー(20)と同一の弾性部材で形成されてなることを特徴するソーラー発電器。
【請求項１０】
請求項１から９のいずれか一に記載のソーラー発電器であって、
前記パネルカバー(20)が、ＥＰＤＭで形成されてなることを特徴するソーラー発電器。
【請求項１１】
ソーラーモジュール(10)と、
弾性部材で形成され、前記ソーラーモジュール(10)の周囲と裏面を覆うと共に、該ソーラーモジュール(10)の表面を表出させるパネルカバー(20)と、
を備えるソーラー発電器であって、
前記パネルカバー(20)は、その四隅に、それぞれ貫通孔(29)を開口してなることを特徴とするソーラー発電器。
【請求項１２】
請求項１１に記載のソーラー発電器であって、
前記貫通孔(29)の大きさが、異なることを特徴とするソーラー発電器。
【発明の詳細な説明】
【技術分野】
【０００１】
本発明は、ソーラー発電器に関する。
【背景技術】
【０００２】
小型のソーラーパネルで、電池駆動機器を充電したり、ランタンの点灯のための電力を供給する技術は開発されている。このような個人向けの携帯型の太陽電池パネルは、屋外で使用されることから、少々乱暴に扱われても故障しない堅牢製が重要となる。また、ソーラーパネルはその性質上、使用中に常時表出させる必要があるところ、屋外使用用途では雹が降った際の衝撃で割れることも考えられる。
【０００３】
このような課題に対して、ソーラーパネルの周囲にゴムを設けたものは提案されている（特許文献１，２）。このソーラーパネルは、図１３（ａ）の斜視図及び図１３（ｂ）の断面図に示すように、ソーラーパネル３０１の周囲を弾性体３２０で被覆している。この弾性体３２０は、引張力を加えない状態でソーラーパネル３０１の外周寸法より小さいソーラーパネル３０１の外周部に嵌合したリング部２１と、ソーラーパネル３０１の受光面の裏側にこのリング部２１を外周に有するシート部３２２からなる。弾性体３２０をソーラーパネル３０１に取り付けるには、弾性体３２０のリング部３２１を引き伸ばしながら、ここをソーラーパネル３０１の外周部に嵌合する。
【０００４】
しかしながら、弾性体３２０を引き伸ばして弾性変形させてソーラーパネル３０１の外周部に勘合させるには、弾性体３２０をある程度弾性変形し易い材質とする必要があるところ、このような柔軟性の高い材質では、ソーラーパネルの保護機能が弱くなる。その一方で、弾性体の硬度を高めてよりソリッドな材質とすると、ソーラーパネルの保護は高められるものの、今度は弾性体をソーラーパネルの周囲に嵌合させることが困難となってしまうという問題があった。このように、弾性体のソーラーパネルへの装着し易さと、ソーラーパネルの保護機能とは、互いに相反する課題であるため、両立させることが困難であった。
【０００５】
また、文献１においては、太陽電池の設置角度を調節するのに、支柱と自由継手とを利用しているため、構造が複雑になるという問題もあった。
【先行技術文献】
【特許文献】
【０００６】
【特許文献１】特開２００５−３２８０９１号公報
【特許文献２】特開２００７−１９４９９号公報
【発明の概要】
【発明が解決しようとする課題】
【０００７】
本発明は、従来のこのような問題点に鑑みてなされたものである。本発明の主な目的は、簡便な構造で太陽電池の設置角度を維持できるソーラー発電器を提供することにある。また本発明の他の目的は、衝撃吸収力を高めつつも、ソーラーモジュールへの装着も容易としたソーラー発電器を提供することにある。
【課題を解決するための手段及び発明の効果】
【０００８】
上記目的を達成するために、本発明の第１の側面に係るソーラー発電器によれば、ソーラーモジュール１０と、弾性部材で形成され、前記ソーラーモジュール１０の周囲と裏面を覆うと共に、該ソーラーモジュール１０の表面を表出させるパネルカバー２０とを備えるソーラー発電器であって、前記パネルカバー２０は、その裏面側に、前記ソーラーモジュール１０の出力端子を配置するための端子配置部２２を開口しており、前記ソーラー発電器はさらに、前記端子配置部２２を被覆する端子カバー３０を備えており、前記端子カバー３０の背面を、前記ソーラーモジュール１０に対して一定の傾斜角度に傾斜させることができる。
上記構成により、端子カバーをソーラーモジュールの台座として機能させると共に、端子カバーでもってソーラーモジュールを傾斜させることができ、太陽光の受光に適した角度に調整することができる。
【０００９】
また、第２の側面に係るソーラー発電器によれば、前記端子カバー３０を、前記パネルカバー２０に対して着脱式に固定すると共に、前記端子カバー３０を弾性部材で形成することができる。
上記構成により、端子カバーはソーラーモジュールの使用時に床面に載置する台座として利用できる上、端子カバーを弾性部材とすることで、ソーラーモジュールの上面に雹が降る等、衝撃が加えられた場合に、端子カバーが変形して衝撃を吸収できる利点が得られる。
【００１０】
さらに、第３の側面に係るソーラー発電器によれば、前記パネルカバー２０は、前記端子配置部２２の周囲に、側壁２３を突出させており、前記端子カバー３０を、前記側壁２３に被せるようにして前記端子配置部２２を閉塞することができる。
上記構成により、パネルカバーの底面から突出させた側壁に端子カバーを被覆して、端子カバーをパネルカバーの底面から突出させた姿勢で固定することができる。
【００１１】
さらにまた、第４の側面に係るソーラー発電器によれば、前記パネルカバー２０は、その裏面側であって、前記端子配置部２２と対向する端縁に、脚部２６を一体に設けることができる。
上記構成により、ソーラーモジュールを床面に載置した状態で、端子カバーに加えて、この端子カバーと対向する端縁に設けられた脚部でもって衝撃を吸収できるため、両側に衝撃吸収部分を持たせて耐衝撃性を一層向上できる利点が得られる。
【００１２】
さらにまた、第５の側面に係るソーラー発電器によれば、前記パネルカバー２０は、その裏面側に、スリット２８を設けることができる。
上記構成により、スリットを拡張させた開口部分からソーラーモジュールを挿入することが可能となり、従来よりも容易にソーラーモジュールにパネルカバーを被覆させることが可能となる。また、ソーラーモジュールの表出面を無理に変形させる必要が無いため、パネルカバーをよりソリッドにすることができ、装着後にパネルカバーがソーラーモジュールから外れる事態も回避できる。
【００１３】
さらにまた、第６の側面に係るソーラー発電器によれば、前記脚部２６は、前記スリット２８と平行に延長することができる。
上記構成により、スリットの拡開時の変形を一定に維持できる利点が得られる。
【００１４】
さらにまた、第７の側面に係るソーラー発電器によれば、前記脚部２６を、前記パネルカバー２０の裏面側に複数設けることができる。
上記構成により、複数の脚部で衝撃吸収力を高めることができる。
【００１５】
さらにまた、第８の側面に係るソーラー発電器によれば、前記着脱式の端子カバー３０を、その厚さが異なる複数の端子カバー３０と交換可能とすると共に、前記複数の端子カバー３０は、前記ソーラー発電器が使用される地域における太陽光の受光角度に応じて、その高さを決定することができる。
上記構成により、ソーラー発電器を使用する地域や季節に応じた端子カバーに交換することで、載置時の傾斜角度を最適に調整でき、共通のソーラー発電器を異なる場所で使用可能とできる。
【００１６】
さらにまた、第９の側面に係るソーラー発電器によれば、前記端子カバー３０を、前記パネルカバー２０と同一の弾性部材で形成することができる。
【００１７】
さらにまた、第１０の側面に係るソーラー発電器によれば、前記パネルカバー２０を、ＥＰＤＭで形成することができる。
【００１８】
さらにまた、第１１の側面に係るソーラー発電器によれば、ソーラーモジュール１０と、弾性部材で形成され、前記ソーラーモジュール１０の周囲と裏面を覆うと共に、該ソーラーモジュール１０の表面を表出させるパネルカバー２０と、を備えるソーラー発電器であって、前記パネルカバー２０は、その四隅に、それぞれ貫通孔２９を開口することができる。
上記構成により、四隅からソーラー発電器を落下した際に、貫通孔の部分が変形し易くなって、衝撃吸収力を増すことが可能となる。
【００１９】
さらにまた、第１２の側面に係るソーラー発電器によれば、前記貫通孔２９の大きさを異ならせることができる。
上記構成により、貫通孔に異なる大きさの丸材などを挿入して、スタンド代わりに利用できる。
【図面の簡単な説明】
【００２０】
【図１】実施例１に係るソーラー発電器を示す斜視図である。
【図２】図１のソーラー発電器の分解斜視図である。
【図３】図１のソーラー発電器を底面から見た斜視図である。
【図４】図３のソーラー発電器の分解斜視図である。
【図５】図１のソーラー発電器を用いて電気機器の充電を行う様子を示す斜視図である。
【図６】ソーラー発電器を床面に載置した状態を示す側面図である。
【図７】図７（ａ）は変形例に係る端子カバーを用いてソーラー発電器を載置した状態を示す側面図、図７（ｂ）は他の変形例に係る端子カバーを用いてソーラー発電器を載置した状態を示す側面図である。
【図８】図３のソーラー発電器のスリットを示す拡大斜視図である。
【図９】変形例に係るソーラー発電器の底面を示す平面図である。
【図１０】貫通孔を利用してソーラー発電器を木に括り付けた状態を示す斜視図である。
【図１１】貫通孔を利用してソーラー発電器を自立させた状態を示す斜視図である。
【図１２】変形例に係る貫通孔を示す平面図である。
【図１３】図１３（ａ）は従来のソーラーモジュールを示す斜視図、図１３（ｂ）は断面図である。
【発明を実施するための形態】
【００２１】
以下、本発明の実施例を図面に基づいて説明する。ただし、以下に示す実施例は、本発明の技術思想を具体化するためのソーラー発電器を例示するものであって、本発明はソーラー発電器を以下のものに特定しない。さらに、本明細書においては、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。特に実施例に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００２２】
図１〜図５に実施例１に係るソーラー発電器１００を示す。これらの図において、図１はソーラー発電器１００の斜視図、図２は図１のソーラー発電器１００の分解斜視図、図３は図１のソーラー発電器１００を底面から見た斜視図、図４は図３のソーラー発電器１００の分解斜視図、図５は図１のソーラー発電器１００を用いて電気機器ＥＤの充電を行う様子を示す斜視図を、それぞれ示している。これらの図に示すソーラー発電器１００は、ソーラーモジュール１０と、パネルカバー２０と、端子カバー３０で構成される。
【００２３】
ソーラーモジュール１０の周囲と裏面側は、弾性部材のパネルカバー２０で被覆されており、ソーラーモジュール１０を保護する。このソーラー発電器１００は、図５に示すように、太陽光を受けて発電し、その電力でもって他の電気機器ＥＤの充電を行うことができる。図５の例では、ソーラー発電器１００を充電器ＣＧを介して、携帯電話に接続している。充電器ＣＧは、ソーラー発電器１００で発電した電圧を、携帯電話の充電に適した電流や電圧に変換する。なお、ソーラー発電器側に、このような充電器の機能を持たせることも可能である。この場合は、後述する端子配置部２２に充電用の回路基板を収納する。また、ソーラーモジュールで発電した電力を蓄える二次電池を、端子配置部２２に設けることも可能である。
（ソーラーモジュール１０）
【００２４】
ソーラーモジュール１０は、太陽電池セル（ソーラーセル）を基板上に多数配置した矩形状の太陽電池パネルである。このソーラーモジュール１０は、表面に太陽電池セルを配置した基板と、この基板の両面を被覆する透光性シートと、さらに透光性シートの上からソーラーモジュール１０の上下面を被覆する透光性の保護シートを備える。基板はガラスエポキシ基板等が利用でき、上面を平板状として多数の太陽電池セルを規則的に実装する。太陽電池セルは、シリコン結晶系太陽電池やアモルファスシリコン太陽電池、あるいはハイブリッド型である単結晶シリコンとアモルファスシリコンのヘテロ接合（ＨＩＴ：Heterojunction with Intrinsic Thin layer）等が利用できる。特にＨＩＴは太陽光の受光に際して指向性が少なく、また高変換効率で温度特性にも優れ、設置面積当たりの発電量が高く好ましい。また基板上の太陽電池セルを実装する下地の色は、白色系等明るい色とすることが好ましい。これにより太陽光を太陽電池セルの周囲で反射あるいは乱反射させて、より多くの太陽光を受光でき、発電効率を向上できる。逆に黒色等暗い色とすれば太陽光を吸収し易くなり、発熱が多くなるので好ましくない。
（パネルカバー２０）
【００２５】
パネルカバー２０は、図２の分解斜視図に示すように、ソーラーモジュール１０の周囲と裏面を覆うと共に、該ソーラーモジュール１０の表面を表出させる。このためパネルカバー２０は、ソーラーモジュール１０の外形とほぼ同じ矩形状で、若干これよりも大きい大きさに形成されており、上面側に、ソーラーモジュール１０を表出させるための表出窓２１を開口している。また背面側には、端子配置部２２を開口している。このパネルカバー２０は、弾性部材で形成される。好ましくは、ＥＰＤＭ（ethylene‐propylene terpolymer：エチレン−プロピレン三量体）製とする。
（端子配置部２２）
【００２６】
端子配置部２２は、ソーラーモジュール１０の出力端子を配置するための部位である。端子配置部２２の周囲には、直立姿勢で側壁２３が設けられる。側壁２３はパネルカバー２０の背面から突出しており、端子配置部２２に配置される出力端子を保護する。側壁２３もパネルカバー２０と一体に成型されている。図４の例では、出力端子の上面に端子固定ベース２５を配置している。端子固定ベース２５は、ソーラーモジュール１０の出力端子に、出力ケーブル１２のリード線を半田付けし、ネジ固定した上で、封止のために樹脂で固めた部材である。この端子固定ベース２５は、側壁２３で囲まれた端子配置空間内に配置できる大きさに設計される。好ましくは、端子固定ベース２５の外形を端子配置空間とほぼ等しいか、これよりも若干大きくして、弾性部材の側壁２３を弾性変形させて端子配置空間で不動状態に保持できる。また側壁２３には、出力端子と接続された出力ケーブル１２を外部に引き出すための切り込み２４が設けられる。
（端子カバー３０）
【００２７】
また端子配置部２２は、端子カバー３０で閉塞されて、ソーラーモジュール１０の出力端子を埃や水分から保護する。端子カバー３０は、この例では着脱式としている。ただ、端子カバー３０をパネルカバー２０に一体的に固定することもできる。ここでは、端子カバー３０も弾性部材で形成している。これによって、周囲を被覆するパネルカバー２０に加えて、裏面の端子カバー３０も弾性部材であるため、下面の全体で衝撃力を吸収し、衝撃吸収力を高めることが可能となる。端子カバー３０は、好ましくは、パネルカバー２０と同じＥＰＤＭ製とする。
【００２８】
端子カバー３０は、側壁２３を囲む大きさ及び形状に構成されている。図４の分解斜視図に示す例では、端子カバー３０を有底箱状として、側壁２３に重ねて固定される。また端子カバー３０の内径を側壁２３の外形とほぼ同じか、若干小さくすることで、弾性部材の端子カバー３０と側壁２３とが弾性変形によって嵌着される。特に弾性部材同士の接触面は接触抵抗も大きいので、端子カバー３０を側壁２３に被せた状態で固定される。また端子カバー３０の壁面の一部には、出力ケーブル１２を引き出すため、側壁２３の切り込み２４と対応させて、穴や切り込みが設けられる。出力端子の防水を図るためには、穴３２として、ここを通す出力ケーブル１２の周囲を隙間無く押圧することが好ましい。
【００２９】
端子カバー３０の背面は、ソーラーモジュール１０に対して一定の傾斜角度に傾斜させている。また端子カバー３０は、端子配置部２２で覆った状態で、パネルカバー２０の底面から突出する姿勢に固定される。この端子カバー３０は、図６に示すように、ソーラーモジュール１０の台座として機能する。すなわち、ソーラー発電器１００を床面に載置した状態で、端子カバー３０の厚さによってソーラーモジュール１０が傾斜角度α1で傾斜されて、太陽光の受光に適切な角度に設定される。このため端子カバー３０の厚さは、ソーラーモジュール１０を適切な角度に傾斜できるよう、ソーラーモジュール１０の大きさや端子カバー３０の取り付け位置、及びソーラー発電器１００を使用する地域における太陽の位置などに応じて、設計される。さらに端子カバー３０の有底箱状の上端は、端子カバー３０で支承するパネルカバー２０を傾斜させるために、図６に示すように傾斜角度に応じて斜めにカットされている。
【００３０】
また、端子カバー３０は着脱式としており、異なる端子カバー３０と交換できる。ここで、ソーラー発電器１００を使用する地域や時期（季節）に応じて、その地域で太陽光の受光に適切な角度に変更できるように、予め複数の異なる高さの端子カバー３０を用意しておき、これを選択することで、使用される場所に応じた適切な傾斜角度にソーラーモジュール１０をセットできる。例えば、太陽高度が低い地域やシーズンにおいては、図７（ａ）に示すように傾斜角度α2を大きくした端子カバー３０Ａを使用し、逆に太陽高度が高い地域やシーズンにおいては、図７（ｂ）に示すように傾斜角度α3を小さくした端子カバー３０Ｂを使用するように、端子カバーを選択、交換する。この方式であれば、ソーラー発電器を共通として、端子カバーのみを交換すれば様々な地域で使用できるようになる。また製造コストの観点からも、各地域毎に専用のソーラー発電器を設計する必要をなくし、端子カバーのみを設計、交換すれば足りるため、部材の共通化とコスト削減にも寄与する。
【００３１】
なお、端子カバーと側壁とは、パネルカバーと一体とすることもできる。
（脚部２６）
【００３２】
さらにパネルカバー２０の裏面側には、脚部２６が裏面から突出する姿勢で設けられる。脚部２６は、図４及び図８に示すように、パネルカバー２０の端縁であって、端子配置部２２から遠い側に設けられる。これによって、載置時に端子カバー３０で持ち上げられた端子配置部２２側に対し、接地する側の端縁に脚部２６を設けて、ソーラー発電器１００を安定させることができる。
【００３３】
脚部２６は複数設けることができ、この例ではブロック状の脚部２６を隅部の近傍において２箇所に設けられている。また各脚部２６は、角部を面取りしている。このように脚部２６を端縁に設けて突出させることで、ソーラー発電器１００を載置した際に安定する。特に弾性部材の脚部２６は、載置面に応じて変形し、また摩擦が大きく位置ずれしにくい利点が得られる。加えて、衝撃吸収にも有利となる。例えばソーラー発電器１００を裏面側から落下させた際、図６の側面図に示すように脚部２６と端子カバー３０とで衝撃を吸収できる。このように、ソーラー発電器の接地部分に衝撃吸収機能を持たせて、耐衝撃性を一層向上できる。
【００３４】
また脚部２６は、３個以上設けてもよい。あるいは、図９の変形例に示すソーラー発電器２００のように、一の脚部２６Ｂを延長して設けることもできる。この脚部２６Ｂは、パネルカバー２０の長さ方向に沿って延長されている。また、線条の脚部２６Ｂは、後述するスリット２８と平行に設けることが好ましい。これによってスリット拡開時のパネルカバー２０の変形を無理なく行える。
（スリット２８）
【００３５】
パネルカバー２０は、図４及び図８に示すように、その裏面側にスリット２８を設けている。スリット２８は、パネルカバー２０の端縁の近傍で、端縁と平行に、この端縁を構成する辺の長さよりも若干短い長さに延長されている。このようなスリット２８を設けたことで、ここを拡開してソーラーモジュール１０を挿入しやすくできる。すなわち従来は、表出窓を強制的に拡開してソーラーモジュールを挿入していたが、この部分からソーラーモジュールを挿入しやすくすることは、挿入されたソーラーモジュールを取り外しやすいことにも繋がり、パネルカバーが外れやすくなるとソーラーモジュールの保護が図れなくなる問題があった。そこで、表出窓からの挿入でなく、裏面側に設けたスリットを介して挿入させる構成とすることで、表出窓からはソーラーモジュールが抜け落ちにくくなるように設計できるため、表出窓からソーラーモジュールが抜け落ちる事態を低減できる。例えば、パネルカバーの材質をソリッドにして、表出窓の変形を困難にして、パネルカバー装着後の脱離を防止できる。
（貫通孔２９）
【００３６】
さらにパネルカバー２０は、その四隅に、それぞれ貫通孔２９を開口している。四隅に貫通孔２９を開口させることで、落下時の衝撃吸収力をさらに高めることが期待できる。すなわち、落下時は一般に角の部分が最初に床面に接触することが多いところ、角部が弾性部材で、しかもこの部分に貫通孔２９を開口したことで、貫通孔２９の部分を変形し易くさせて、変形によって衝撃吸収力をさらに高めることができる。
【００３７】
また四隅に設けられた貫通孔２９は、ソーラー発電器１００を固定するために利用できる。例えば、図１０に示すように貫通孔２９に紐ＳＴを通して木に括り付けたり、あるいは図１１に示すように、箸やペンのような棒状の部材ＲＤを貫通孔２９に通して、スタンドとして利用できる。特にパネルカバー２０は弾性部材で構成されていることから、貫通孔２９に棒状の部材ＲＤを圧入して抜け難くでき、安定性が高められる。また、挿入する棒材ＲＤの長さ、あるいは挿入する部分の深さを変更することで、ソーラーモジュール１０の角度を変更することもできる。
【００３８】
また図１等の例では、貫通孔２９はすべて同じ大きさとしているが、異なる大きさとすることもできる。例えば図１２に示すソーラー発電器３００のように、２個の貫通孔２９Ｂの内径を、他の貫通孔２９Ａよりも大きくする。このように異なる大きさの貫通孔を開口させることで、異なる太さの棒材の挿入に対応でき、より便利に使用できる。
【００３９】
以上のように、ソーラーモジュール１０の底面を、弾性部材のパネルカバー２０と端子カバー３０で覆うことで、この面での衝撃吸収力を高めることができる。また端子カバー３０はソーラーモジュール１０の使用時に床面に載置する台座として利用できる上、端子カバー３０を弾性部材とすることで、ソーラーモジュール１０の上面に雹が降る等、衝撃が加えられた場合でも、端子カバー３０が変形して衝撃を吸収できる利点が得られる。
【産業上の利用可能性】
【００４０】
本発明に係るソーラー発電器は、携帯電話や携帯型音楽プレーヤ、緊急充電器等を充電するための充電器、特に商用電源が利用不能な場所でも利用可能な携帯可能な充電器用の電源として好適に利用できる。
【符号の説明】
【００４１】
１００、２００、３００…ソーラー発電器
１０…ソーラーモジュール
１２…出力ケーブル
２０…パネルカバー
２１…表出窓
２２…端子配置部
２３…側壁
２４…切り込み
２５…端子固定ベース
２６、２６Ｂ…脚部
２８…スリット
２９、２９Ａ、２９Ｂ…貫通孔
３０、３０Ａ、３０Ｂ…端子カバー
３２…穴
３０１…ソーラーパネル
３２０…弾性体
３２１…リング部
３２２…シート部
ＣＧ…充電器
ＥＤ…電気機器
ＳＴ…紐
ＲＤ…棒状の部材
【図１】
2013175688.tif 000003
【図２】
2013175688.tif 000004
【図３】
2013175688.tif 000005
【図４】
2013175688.tif 000006
【図５】
2013175688.tif 000007
【図６】
2013175688.tif 000008
【図７】
2013175688.tif 000009
【図８】
2013175688.tif 000010
【図９】
2013175688.tif 000011
【図１０】
2013175688.tif 000012
【図１１】
2013175688.tif 000013
【図１２】
2013175688.tif 000014
【図１３】
2013175688.tif 000015